(57)【要約】【課題】蓋体の開放をより容易に行うことができるとともに、開放状態の蓋体が他の動作を阻害することを抑えることができる蓋ガイド機構を提供する。【解決手段】本開示に係る蓋ガイド機構は、支持基体に隣接する第１位置と第２位置との間でスライド移動する蓋体と、蓋体を第１位置から第２位置へ付勢する付勢部材とを備え、支持基体は、付勢部材の一端部が取り付けられる取付部と係止部とを有し、蓋体は、付勢部材の他端部が取り付けられる第１軸部と、第１軸部よりも取付部に近い位置に設けられ、第１位置で係止部に係止される第２軸部とを有し、蓋体は、第２軸部と係止部との係止状態が解除されるように第１位置よりも第２位置から離れた第３位置に外力により付勢部材の付勢力に抗して移動された後、外力が解除されたとき、付勢部材の付勢力によって第２位置に移動するように構成される。【選択図】図６Ｂ
2019086721.tif 000002
【特許請求の範囲】
【請求項１】
支持基体と、
前記支持基体に隣接する第１位置と第２位置との間でスライド移動する蓋体と、
前記蓋体を前記第１位置から前記第２位置へ付勢する付勢部材と、
を備える蓋ガイド機構であって、
前記支持基体は、前記付勢部材の一端部が取り付けられる取付部と、係止部とを有し、
前記蓋体は、前記付勢部材の他端部が取り付けられる第１軸部と、前記第１軸部よりも前記取付部に近い位置に設けられ、前記第１位置で前記係止部に係止される第２軸部とを有し、
前記蓋体は、前記第２軸部と前記係止部との係止状態が解除されるように前記第１位置よりも前記第２位置から離れた第３位置に外力により前記付勢部材の付勢力に抗して移動された後、前記外力が解除されたとき、前記付勢部材の付勢力によって前記第２位置に移動するように構成されている、蓋ガイド機構。
【請求項２】
前記蓋体は、前記第２位置から前記第３位置に外力により前記付勢部材の付勢力に抗して移動された後、前記外力が解除されたとき、前記付勢部材の付勢力によって前記第１位置に移動するように構成されている、請求項１に記載の蓋ガイド機構。
【請求項３】
前記蓋体は、前記第１位置に位置するとき、前記支持基体の外表面に対して面一又は略面一になるように構成され、前記第２位置に位置するとき、前記第１軸部側の部分を除いて前記支持基体の内側に収納されるように構成されている、請求項１又は２に記載の蓋ガイド機構。
【請求項４】
前記係止部は、前記蓋体の前記第１位置から前記第３位置への移動方向に対して平行又は略平行に延在し、前記支持基体の内側から前記第２軸部を支持する支持面を有する、請求項１〜３のいずれか１つに記載の蓋ガイド機構。
【請求項５】
前記支持基体は、
前記蓋体が前記第２位置と前記第３位置との間を移動するように前記第１軸部及び前記第２軸部をガイドする第１ガイド溝と、
前記第１ガイド溝から分岐されて前記係止部まで延在し、前記蓋体が前記第１位置と前記第３位置との間を移動するように前記第２軸部をガイドする第２ガイド溝と、
を有する、請求項１〜４のいずれか１つに記載の蓋ガイド機構。
【請求項６】
前記第２ガイド溝は、前記蓋体が前記第３位置に位置するときに前記第２軸部が位置する領域の近傍で前記第１ガイド溝から分岐されている、請求項５に記載の蓋ガイド機構。
【請求項７】
前記第２ガイド溝は、前記支持基体の外表面よりも前記支持基体の内側に設けられ、
前記第１ガイド溝は、前記第２ガイド溝よりも前記支持基体の内側に設けられている、
請求項５又は６に記載の蓋ガイド機構。
【請求項８】
前記第１ガイド溝は、前記蓋体が前記第２位置から前記第３位置に移動するとき、前記第２軸部を前記付勢部材よりも前記支持基体の外側に移動させるように構成されている、請求項５〜７のいずれか１つに記載の蓋ガイド機構。
【請求項９】
前記蓋体は、前記第１軸部よりも前記取付部から離れる側に突出する突出部を有し、前記突出部が前記支持基体の内側へ押圧されながら前記第２位置から前記第３位置へ前記付勢部材の付勢力に抗して移動されることにより、前記第１軸部を中心として回動し、前記第２軸部が前記第１ガイド溝から前記第２ガイド溝に移動するように構成されている、請求項５〜８のいずれか１つに記載の蓋ガイド機構。
【請求項１０】
前記蓋体の外表面は、前記支持基体の外表面の一部を構成する湾曲面に対して面一又は略面一になるように湾曲している、請求項９に記載の蓋ガイド機構。
【請求項１１】
請求項１〜１０のいずれか１つに記載の蓋ガイド機構を備える撮像装置。
【発明の詳細な説明】
【技術分野】
【０００１】
本開示は、蓋ガイド機構及び当該蓋ガイド機構を備える撮像装置に関する。
【背景技術】
【０００２】
従来、この種の蓋ガイド機構として、例えば、特許文献１（特開２００２−３６２６０２号公報）及び特許文献２（特開２００３−２７６５１５号公報）に開示されたものが知られている。
【０００３】
特許文献１には、本体に設けたスライドツマミをスライドさせることにより、スライドツマミに設けたカムフォロアが蓋に設けたカム溝を移動し、カムフォロアがカム溝の作用で蓋体を開方向に押し出すように構成された蓋ガイド機構が開示されている。
【０００４】
特許文献２には、支持基体に対する蓋体のスライド移動及び回動運動を、３つのガイド突起と２つのガイド溝と２つの分岐溝との組合せによりガイドするように構成された蓋ガイド機構が開示されている。
【先行技術文献】
【特許文献】
【０００５】
【特許文献１】特開２００２−３６２６０２号公報
【特許文献２】特開２００３−２７６５１５号公報
【発明の概要】
【発明が解決しようとする課題】
【０００６】
カメラなどの撮像装置においては、一般に、電源として着脱式のバッテリーが用いられている。このバッテリーを充電、交換等のために装置に着脱するため、当該バッテリーを覆う蓋体が開閉される。
【０００７】
これに対して、近年、電源として装置内蔵型のバッテリーを用い、当該バッテリーをＵＳＢ（Universal Serial Bus）を通じて充電するように構成された撮像装置が普及してきている。この撮像装置においては、着脱式のバッテリーを用いる場合に比べて、蓋体を開放状態にすることが格段に多くなる。
【０００８】
特許文献１の蓋ガイド機構においては、スライドツマミをスライドさせるだけで蓋体を開放することができる。しかしながら、蓋体が本体にヒンジ軸を介して回動自在に接続されているので、ＵＳＢを本体の端子に接続する際に蓋体が邪魔になることが起こり得る。
【０００９】
これに対して、特許文献２の蓋ガイド機構によれば、蓋体を支持基体の内側に収納するようにしているので、蓋体の開放状態において蓋体が邪魔になることを抑えることができる。しかしながら、蓋体をスライド移動させるとともに回動運動させる必要があるため、蓋体を開放するための動作及び構成が複雑である。
【００１０】
本開示の目的は、前記課題を解決することにあって、蓋体の開放動作をより一層容易に行うことができるとともに、開放状態の蓋体が他の動作を阻害することを抑えることができる蓋ガイド機構を提供することにある。
【課題を解決するための手段】
【００１１】
本開示に係る蓋ガイド機構は、支持基体と、
前記支持基体に隣接する第１位置と第２位置との間でスライド移動する蓋体と、
前記蓋体を前記第１位置から前記第２位置へ付勢する付勢部材と、
を備える蓋ガイド機構であって、
前記支持基体は、前記付勢部材の一端部が取り付けられる取付部と、係止部とを有し、
前記蓋体は、前記付勢部材の他端部が取り付けられる第１軸部と、前記第１軸部よりも前記取付部に近い位置に設けられ、前記第１位置で前記係止部に係止される第２軸部とを有し、
前記蓋体は、前記第２軸部と前記係止部との係止状態が解除されるように前記第１位置よりも前記第２位置から離れた第３位置に外力により前記付勢部材の付勢力に抗して移動された後、前記外力が解除されたとき、前記付勢部材の付勢力によって前記第２位置に移動するように構成されている。
【発明の効果】
【００１２】
本開示の蓋ガイド機構によれば、蓋体の開放をより容易に行うことができるとともに、開放状態の蓋体が他の動作を阻害することを抑えることができる。
【図面の簡単な説明】
【００１３】
【図１】実施形態に係る蓋ガイド機構を備える撮像装置を正面側から見た斜視図である。
【図２】図１の撮像装置を背面側から見た斜視図である。
【図３】本体ケース及び蓋体の組立斜視図である。
【図４】本体ケース及び蓋体の分解斜視図である。
【図５】蓋体がフレームに取り付けられた状態を示す平面図である。
【図６Ａ】蓋体がフレームに沿ってスライド移動する様子を示す斜視図であって、蓋体が第１位置に位置する状態を示す図である。
【図６Ｂ】蓋体がフレームに沿ってスライド移動する様子を示す斜視図であって、蓋体が第３位置に位置する状態を示す図である。
【図６Ｃ】蓋体がフレームに沿ってスライド移動する様子を示す斜視図であって、蓋体が第２位置に位置する状態を示す図である。
【図７Ａ】図５のＡ１−Ａ１線で切った断面図であって、蓋体が第１位置に位置する状態を示す図である。
【図７Ｂ】図５のＡ２−Ａ２線で切った断面図であって、蓋体が第１位置に位置する状態を示す図である。
【図７Ｃ】蓋体のスライド移動に関連する部材の構成を示す側面図であって、蓋体が第１位置に位置する状態を示す図である。
【図８Ａ】図５のＡ１−Ａ１線で切った断面図であって、蓋体が第１位置から第３位置へ移動する様子を示す図である。
【図８Ｂ】図５のＡ２−Ａ２線で切った断面図であって、蓋体が第１位置から第３位置へ移動する様子を示す図である。
【図９Ａ】図５のＡ１−Ａ１線で切った断面図であって、蓋体が第３位置に位置する状態を示す図である。
【図９Ｂ】図５のＡ２−Ａ２線で切った断面図であって、蓋体が第３位置に位置する状態を示す図である。
【図９Ｃ】蓋体のスライド移動に関連する部材の構成を示す側面図であって、蓋体が第３位置に位置する状態を示す図である。
【図１０Ａ】図５のＡ１−Ａ１線で切った断面図であって、蓋体が第３位置から第２位置へ移動する様子を示す図である。
【図１０Ｂ】図５のＡ２−Ａ２線で切った断面図であって、蓋体が第３位置から第２位置へ移動する様子を示す図である。
【図１１Ａ】図５のＡ１−Ａ１線で切った断面図であって、蓋体が第３位置から第２位置へ移動する様子を示す図である。
【図１１Ｂ】図５のＡ２−Ａ２線で切った断面図であって、蓋体が第３位置から第２位置へ移動する様子を示す図である。
【図１２Ａ】図５のＡ１−Ａ１線で切った断面図であって、蓋体が第２位置に位置する状態を示す図である。
【図１２Ｂ】図５のＡ２−Ａ２線で切った断面図であって、蓋体が第２位置に位置する状態を示す図である。
【図１２Ｃ】蓋体のスライド移動に関連する部材の構成を示す側面図であって、蓋体が第２位置に位置する状態を示す図である。
【図１２Ｄ】蓋体が第２位置に位置する状態を示す斜視図である。
【図１３Ａ】図５のＡ１−Ａ１線で切った断面図であって、蓋体が第２位置から第３位置へ移動する様子を示す図である。
【図１３Ｂ】図５のＡ２−Ａ２線で切った断面図であって、蓋体が第２位置から第３位置へ移動する様子を示す図である。
【図１４Ａ】図５のＡ１−Ａ１線で切った断面図であって、蓋体が第２位置から第３位置へ移動する様子を示す図である。
【図１４Ｂ】図５のＡ２−Ａ２線で切った断面図であって、蓋体が第２位置から第３位置へ移動する様子を示す図である。
【図１５Ａ】図５のＡ１−Ａ１線で切った断面図であって、蓋体が第３位置に位置する状態を示す図である。
【図１５Ｂ】図５のＡ２−Ａ２線で切った断面図であって、蓋体が第３位置に位置する状態を示す図である。
【図１５Ｃ】蓋体のスライド移動に関連する部材の構成を示す側面図であって、蓋体が第３位置に位置する状態を示す図である。
【図１６】係止部の変形例を示す側面図である。
【発明を実施するための形態】
【００１４】
本開示の第１態様によれば、支持基体と、
前記支持基体に隣接する第１位置と第２位置との間でスライド移動する蓋体と、
前記蓋体を前記第１位置から前記第２位置へ付勢する付勢部材と、
を備える蓋ガイド機構であって、
前記支持基体は、前記付勢部材の一端部が取り付けられる取付部と、係止部とを有し、
前記蓋体は、前記付勢部材の他端部が取り付けられる第１軸部と、前記第１軸部よりも前記取付部に近い位置に設けられ、前記第１位置で前記係止部に係止される第２軸部とを有し、
前記蓋体は、前記第２軸部と前記係止部との係止状態が解除されるように前記第１位置よりも前記第２位置から離れた第３位置に外力により前記付勢部材の付勢力に抗して移動された後、前記外力が解除されたとき、前記付勢部材の付勢力によって前記第２位置に移動するように構成されている、蓋ガイド機構を提供する。
【００１５】
本開示の第２態様によれば、前記蓋体は、前記第２位置から前記第３位置に外力により前記付勢部材の付勢力に抗して移動された後、前記外力が解除されたとき、前記付勢部材の付勢力によって前記第１位置に移動するように構成されている、第１態様に記載の蓋ガイド機構を提供する。
【００１６】
本開示の第３態様によれば、前記蓋体は、前記第１位置に位置するとき、前記支持基体の外表面に対して面一又は略面一になるように構成され、前記第２位置に位置するとき、前記第１軸部側の部分を除いて前記支持基体の内側に収納されるように構成されている、第１又は２態様に記載の蓋ガイド機構を提供する。
【００１７】
本開示の第４態様によれば、前記係止部は、前記蓋体の前記第１位置から前記第３位置への移動方向に対して平行又は略平行に延在し、前記支持基体の内側から前記第２軸部を支持する支持面を有する、第１〜３態様のいずれか１つに記載の蓋ガイド機構を提供する。
【００１８】
本開示の第５態様によれば、前記支持基体は、
前記蓋体が前記第２位置と前記第３位置との間を移動するように前記第１軸部及び前記第２軸部をガイドする第１ガイド溝と、
前記第１ガイド溝から分岐されて前記係止部まで延在し、前記蓋体が前記第１位置と前記第３位置との間を移動するように前記第２軸部をガイドする第２ガイド溝と、
を有する、第１〜４態様のいずれか１つに記載の蓋ガイド機構を提供する。
【００１９】
本開示の第６態様によれば、前記第２ガイド溝は、前記蓋体が前記第３位置に位置するときに前記第２軸部が位置する領域の近傍で前記第１ガイド溝から分岐されている、第５態様に記載の蓋ガイド機構を提供する。
【００２０】
本開示の第７態様によれば、前記第２ガイド溝は、前記支持基体の外表面よりも前記支持基体の内側に設けられ、
前記第１ガイド溝は、前記第２ガイド溝よりも前記支持基体の内側に設けられている、
第５又は６態様に記載の蓋ガイド機構を提供する。
【００２１】
本開示の第８態様によれば、前記第１ガイド溝は、前記蓋体が前記第２位置から前記第３位置に移動するとき、前記第２軸部を前記付勢部材よりも前記支持基体の外側に移動させるように構成されている、第５〜７態様のいずれか１つに記載の蓋ガイド機構を提供する。
【００２２】
本開示の第９態様によれば、前記蓋体は、前記第１軸部よりも前記取付部から離れる側に突出する突出部を有し、前記突出部が前記支持基体の内側へ押圧されながら前記第２位置から前記第３位置へ前記付勢部材の付勢力に抗して移動されることにより、前記第１軸部を中心として回動し、前記第２軸部が前記第１ガイド溝から前記第２ガイド溝に移動するように構成されている、第５〜８態様のいずれか１つに記載の蓋ガイド機構を提供する。
【００２３】
本開示の第１０態様によれば、前記蓋体の外表面は、前記支持基体の外表面の一部を構成する湾曲面に対して面一又は略面一になるように湾曲している、第９態様に記載の蓋ガイド機構を提供する。
【００２４】
本開示の第１１態様によれば、第１〜１０態様のいずれか１つに記載の蓋ガイド機構を備える撮像装置を提供する。
【００２５】
以下、適宜図面を参照しながら、実施形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００２６】
なお、発明者らは、当業者が本開示を十分に理解するために添付図面及び以下の説明を提供するものであって、これらによって特許請求の範囲に記載の主題を限定することを意図するものではない。
【００２７】
また、以下では、説明の便宜上、通常使用時の状態を想定して「上」、「下」、「正面」、「背面」等の方向を示す用語を用いるが、本発明の撮像装置の使用状態等を限定することを意味するものではない。
【００２８】
《実施形態》
図１は、実施形態に係る蓋ガイド機構を備える撮像装置を正面側から見た斜視図である。図２は、図１の撮像装置を背面側から見た斜視図である。実施形態において、撮像装置は、デジタルカメラである。
【００２９】
図１及び図２に示すように、撮像装置１は、支持基体の一例である本体ケース２と、本体ケース２に対してスライド移動可能に取り付けられた蓋体３とを備えている。
【００３０】
本体ケース２の上部には、カバー部材４が取り付けられている。カバー部材４には、内部ストロボや、ＥＶＦ（電子ビューファインダ）、電源ボタン、シャッターボタン、ズームレバーなどの各部品が取り付けられている。
【００３１】
図３は、本体ケース２及び蓋体３の組立斜視図である。図４は、本体ケース２及び蓋体３の分解斜視図である。
【００３２】
図３及び図４に示すように、本体ケース２は、撮像装置１の外郭を構成するフロントケース２１及びリアケース２２と、それらの間に配置されるフレーム２３とを備えている。蓋体３は、フレーム２３に沿ってスライド移動可能に取り付けられる。蓋体３及びフレーム２３には、付勢部材の一例である一対のバネ５が掛けられている。蓋体３の外表面には、手指を掛けるための凸部３１及び凹部３２が設けられている。
【００３３】
図５は、蓋体３がフレーム２３に取り付けられた状態を示す平面図である。図６Ａ〜図６Ｃは、蓋体３がフレーム２３に沿ってスライド移動する様子を示す斜視図である。
【００３４】
図６Ｃに示すように、フレーム２３には、開口部２３１が設けられている。実施形態において、フレーム２３には、２つの開口部２３１が設けられている。一方の開口部２３１には、例えば、ＨＤＭＩ（登録商標）コネクタ（図１２Ｃ参照）が配置される。ＨＤＭＩコネクタは、ＨＤＭＩ（登録商標）ケーブルのプラグを着脱可能に構成されている。ＨＤＭＩ（登録商標）コネクタにＨＤＭＩ（登録商標）ケーブルのプラグが装着されることで、当該ケーブルを通じて映像／音声信号を電子機器等に出力することができる。他方の開口部２３１には、例えば、ＵＳＢコネクタ（図１２Ｃ参照）が配置される。ＵＳＢコネクタは、ＵＳＢケーブルのプラグを着脱可能に構成されている。ＵＳＢコネクタにＵＳＢケーブルのプラグが装着され、当該ケーブルを通じて電力を供給されることで、撮像装置１に内蔵されたバッテリー（図示せず）を充電することができる。
【００３５】
図６Ａ〜図６Ｃに示すように、蓋体３は、フレーム２３に沿ってスライド移動することで、開口部２３１を開閉可能に構成されている。実施形態において、蓋体３は、図６Ａに示す第１位置３Ａと、図６Ｂに示す第３位置３Ｃと、図６Ｃに示す第２位置３Ｂとの間でスライド移動するように構成されている。第１位置３Ａ、第２位置３Ｂ、及び第３位置３Ｃは、フレーム２３に隣接する位置である。すなわち、第１位置３Ａ、第２位置３Ｂ、及び第３位置３Ｃは、フレーム２３の表面に沿う位置である。第３位置３Ｃは、第１位置３Ａよりも第２位置３Ｂから離れた位置である。蓋体３は、第１位置３Ａに位置するとき、開口部２３１を閉塞し、第２位置３Ｂに位置するとき、開口部２３１を開放する。
【００３６】
フレーム２３には、バネ５の一端部５１が取り付けられる取付部２３２と、係止部２３３とが設けられている。蓋体３は、バネ５の他端部５２が取り付けられる第１軸部３３と、第１軸部３３よりも取付部２３２に近い位置に設けられ、第１位置３Ａで係止部２３３に係止される第２軸部３４とを備えている。バネ５は、蓋体３を第１位置３Ａから第２位置３Ｂへ付勢するように取付部２３２及び第１軸部３３に取り付けられている。これにより、蓋体３がガタつきなく、第１位置３Ａで係止部２３３に係止される。
【００３７】
蓋体３は、第２軸部３４と係止部２３３との係止状態が解除されるように第１位置３Ａから第３位置３Ｃに外力によりバネ５の付勢力に抗して移動された後、外力が解除されたとき、バネ５の付勢力によって第２位置３Ｂに移動するように構成されている。また、蓋体３は、第２位置３Ｂから第３位置３Ｃに外力によりバネ５の付勢力に抗して移動された後、外力が解除されたとき、バネ５の付勢力によって第１位置３Ａに移動するように構成されている。
【００３８】
実施形態においては、取付部２３２、係止部２３３、バネ５、第１軸部３３、及び第２軸部３４により、蓋体３のスライド移動をガイドする「蓋ガイド機構」が構成されている。また、実施形態において、取付部２３２、係止部２３３、バネ５、第１軸部３３、及び第２軸部３４は、蓋体３がスライド移動するＸ方向に対して直交するＹ方向において蓋体３を介して互いに対向するようにそれぞれ２つ設けられている。これにより、蓋体３は、Ｙ方向の両端部側をより均等に支持され、より確実にＸ方向にスライド移動するようにガイドされる。
【００３９】
次に、図７Ａ〜図１２Ｄを用いて、蓋体３が第１位置３Ａ（図６Ａ参照）から第２位置３Ｂ（図６Ｃ参照）まで移動する様子をより具体的に説明する。
【００４０】
図７Ａ、図８Ａ、図９Ａ、図１０Ａ、図１１Ａ、及び図１２Ａは、図５のＡ１−Ａ１線で切った断面図である。図７Ｂ、図８Ｂ、図９Ｂ、図１０Ｂ、図１１Ｂ、及び図１２Ｂは、図５のＡ２−Ａ２線で切った断面図である。図７Ｃ、図９Ｃ、及び図１２Ｃは、蓋体３のスライド移動に関連する部材の構成を示す側面図である。図１２Ｄは、蓋体３が第２位置３Ｂに位置する状態を示す斜視図である。
【００４１】
実施形態において、フレーム２３には、蓋体３が第２位置３Ｂと第３位置３Ｃとの間を移動するように第１軸部３３及び第２軸部３４をガイドする第１ガイド溝２３４が設けられている。また、フレーム２３には、第１ガイド溝２３４から分岐されて係止部２３３まで延在し、蓋体３が第１位置３Ａと第３位置３Ｃとの間を移動するように第２軸部３４をガイドする第２ガイド溝２３５が設けられている。
【００４２】
第２ガイド溝２３５は、支持基体の外表面となるフロントケース２１及びリアケース２２の外表面よりもフロントケース２１及びリアケース２２の内側に設けられている。第１ガイド溝２３４は、第２ガイド溝２３５よりもフロントケース２１及びリアケース２２の内側に設けられている。
【００４３】
図７Ａ及び図７Ｃに示すように、蓋体３は、第１位置３Ａに位置するとき、フロントケース２１及びリアケース２２の外表面に対して面一又は略面一になるように構成されている。実施形態において、蓋体３の外表面は、フロントケース２１及びリアケース２２の外表面の一部を構成する湾曲面２１Ａ，２２Ａに対して面一又は略面一になるように湾曲している。
【００４４】
図７Ｂ及び図７Ｃに示すように、蓋体３が第１位置３Ａに位置するとき、第２軸部３４は、係止部２３３に係止される。係止部２３３は、蓋体３の第１位置３Ａから第３位置３Ｃへの移動方向であるＸ方向に対して平行又は略平行に延在し、フレーム２３の内側から第２軸部３４を支持する支持面２３３Ａを有している。これにより、Ｘ方向及びＹ方向に対して直交するＺ方向（フレーム２３の厚さ方向）に意図せず外力が蓋体３に加わった場合でも、支持面２３３Ａによって第２軸部３４が第１ガイド溝２３４へ移動することが抑えられる。
【００４５】
蓋体３が第１位置３Ａから第２位置３Ｂに移動される際、まず、蓋体３の凸部３１に手指が掛けられ、蓋体３が第１位置３Ａから第３位置３Ｃにバネ５の付勢力に抗して移動するように蓋体３に外力が加えられる。これにより、図８Ａ及び図８Ｂに示すように、第１軸部３３及び第２軸部３４が、第１ガイド溝２３４及び第２ガイド溝２３５内を係止部２３３から離れるようにＸ方向に移動する。
【００４６】
図８Ａ及び図８Ｂに示す状態から更に第１軸部３３及び第２軸部３４が係止部２３３から離れるようにＸ方向に移動され、図９Ａ〜図９Ｃに示すように、蓋体３が第３位置３Ｃに達すると、第２軸部３４と係止部２３３との係止状態が解除される。すなわち、支持面２３３Ａによる第２軸部３４の支持が解除される。これにより、第２軸部３４が第２ガイド溝２３５から第１ガイド溝２３４へ移動する。第２ガイド溝２３５は、蓋体３が第３位置３Ｃに位置するときに第２軸部３４が位置する領域で第１ガイド溝２３４から分岐されている。
【００４７】
なお、蓋体３が外力によりＸ方向にスライド移動されるとき、通常、蓋体３にはフレーム２３の内側へ押圧されるようにＺ方向にも外力が加えられる。また、実施形態においては、蓋体３の外表面が湾曲しているので、Ｚ方向の外力が発生しやすくなっている。このＺ方向の外力により、蓋体３が第１ガイド溝２３４内に位置する第１軸部３３を中心として回動し、図１０Ａ及び図１０Ｂに示すように、第２軸部３４が第２ガイド溝２３５から第１ガイド溝２３４へ一層移動しやすくなっている。
【００４８】
蓋体３が第３位置３Ｃに位置するとき、バネ５の付勢力は最大又はほぼ最大になっている。この状態で外力が解除されると、図１０Ａ、図１０Ｂ、図１１Ａ、及び図１１Ｂに示すように、バネ５の付勢力によって第１軸部３３が取付部２３２に近づくようにＸ方向に引っ張られる。その結果、図１２Ａ〜図１２Ｄに示すように、蓋体３が第２位置３Ｂに移動する。このとき、バネ５の付勢力は最小又はほぼ最小になっている。また、このとき、蓋体３は、図１２Ｄに示すように、凹部３２を含む第１軸部３３側の部分を除いてフロントケース２１の内側に収納される。また、このとき、蓋体３の第２軸部３４側の端部が、図１２Ａに示すようにフロントケース２１の内側に設けられたストッパー２１１に当接し、バネ５の付勢力によりガタつきなく第３位置３Ｃで保持される。
【００４９】
次に、図７Ａ〜図７Ｃ、図１３Ａ〜図１５Ｂを用いて、蓋体３が第２位置３Ｂ（図６Ｃ参照）から第１位置３Ａ（図６Ａ参照）まで移動する様子をより具体的に説明する。
【００５０】
図１３Ａ、図１４Ａ、及び図１５Ａは、図５のＡ１−Ａ１線で切った断面図である。図１３Ｂ、図１４Ｂ、及び図１５Ｂは、図５のＡ２−Ａ２線で切った断面図である。図１５Ｃは、蓋体３のスライド移動に関連する部材の構成を示す側面図である。
【００５１】
蓋体３が第２位置３Ｂ（図１２Ａ〜図１２Ｄ参照）から第１位置３Ａに移動される際、まず、蓋体３の凹部３２に手指が掛けられ、蓋体３が第２位置３Ｂから第３位置３Ｃにバネ５の付勢力に抗して移動するように外力が加えられる。これにより、図１３Ａ、図１３Ｂ、図１４Ａ、及び図１４Ｂに示すように、第１軸部３３及び第２軸部３４が、第１ガイド溝２３４内をストッパー２１１から離れるようにＸ方向に移動する。
【００５２】
図１４Ａ及び図１４Ｂに示す状態から更に第１軸部３３及び第２軸部３４がＸ方向に移動され、蓋体３が第３位置３Ｃに達すると、図１５Ａ〜図１５Ｃに示すように、第２軸部３４が第１ガイド溝２３４から第２ガイド溝２３５へ移動する。
【００５３】
なお、実施形態において、第１ガイド溝２３４は、蓋体３が第２位置３Ｂから第３位置３Ｃに移動するとき、第２軸部３４をバネ５よりもフレーム２３の外側に移動させるように構成されている。また、第１ガイド溝２３４は、図１５Ｂに示すように、第２ガイド溝２３５との接続される部分に、ストッパー２１１から離れるに従い支持面２３３Ａに近づくように傾斜する傾斜面２３４Ａを有している。すなわち、傾斜面２３４Ａは、Ｘ方向及びＺ方向に対して傾斜するように形成されている。また、支持面２３３Ａと傾斜面２３４Ａとは、鋭角に接続され、それらの接続部（角部）はＲ形状に形成されている。このため、バネ５の付勢力により、蓋体３が第１軸部３３を中心として回動して第２軸部３４が第１ガイド溝２３４から第２ガイド溝２３５に移動しやすくなっている。なお、傾斜面２３４Ａの部分がＺ方向に延在する平面として形成された場合には、当該平面上で第２軸部３４が止まりやすくなり、第２軸部３４が第１ガイド溝２３４から第２ガイド溝２３５に移動し難くなる。
【００５４】
また、実施形態において、蓋体３は、図１５Ａ及び図１５Ｃに示すように、第１軸部３３よりも取付部２３２から離れる側に突出する突出部３５を有している。突出部３５は、凹部３２が設けられている蓋体３のＸ方向の一端部側の部分である。凹部３２に手指が掛けられて蓋体３が第２位置３Ｂから第３位置３Ｃにスライド移動されるとき、通常、突出部３５にはフレーム２３の内側へ押圧されるようにＺ方向の外力が加えられる。また、実施形態においては、蓋体３の外表面が湾曲しているので、Ｚ方向の外力が発生しやすくなっている。このＺ方向の外力により、蓋体３が第１ガイド溝２３４内に位置する第１軸部３３と中心として回動し、第２軸部３４が第１ガイド溝２３４から第２ガイド溝２３５に一層移動しやすくなっている。
【００５５】
この状態で外力が解除されると、バネ５の付勢力によって第２軸部３４が係止部２３３に近づくようにＸ方向に引っ張られる。その結果、図７Ａ〜図７Ｃに示すように、蓋体３が第１位置３Ａに移動する。
【００５６】
実施形態によれば、蓋体３は、第２軸部３４と係止部２３３との係止状態が解除されるように第３位置３Ｃに外力によりバネ５の付勢力に抗して移動された後、外力が解除されたとき、バネ５の付勢力によって第２位置３Ｂに移動するように構成されている。この構成によれば、蓋体３を第１位置３Ａから第３位置３Ｃにスライド移動させるだけで、蓋体３の開放をより容易に行うことができる。また、蓋体３は、フレーム２３に隣接する第２位置にスライド移動するので、開放状態の蓋体３が他の動作を阻害することを抑えることができる。
【００５７】
また、実施形態によれば、蓋体３は、第２位置３Ｂから第３位置３Ｃに外力によりバネ５の付勢力に抗して移動された後、外力が解除されたとき、バネ５の付勢力によって第１位置３Ａに移動するように構成されている。この構成によれば、蓋体３を第２位置３Ｂから第３位置３Ｃにスライド移動させるだけで、蓋体３の閉塞をより容易に行うことができる。
【００５８】
また、実施形態によれば、蓋体３は、第１位置３Ａに位置するとき、フロントケース２１及びリアケース２２の外表面に対して面一又は略面一になるように構成されている。また、蓋体３は、第２位置３Ｂに位置するとき、第１軸部３３側の部分を除いてフロントケース２１の内側に収納されるように構成されている。この構成によれば、蓋体３が他の動作を阻害することを一層抑えることができる。
【００５９】
なお、本開示は前記実施形態に限定されるものではなく、その他種々の態様で実施できる。例えば、前記では、蓋体３が第２位置３Ｂに位置するとき、第１軸部３３側の部分を除いてフロントケース２１の内側に収納されるように構成したが、本発明はこれに限定されない。例えば、蓋体３は、第２位置３Ｂに位置するとき、フロントケース２１の外表面の外側に隣接するように構成されてもよい。すなわち、蓋体３は、本体ケース２の外表面上をスライド移動するように構成されてもよい。
【００６０】
また、前記では、蓋体３は、第１位置３Ａに位置するとき、２つの開口部２３１を閉塞し、第２位置３Ｂに位置するとき、２つの開口部２３１を開放するように構成したが、本発明はこれに限定されない。例えば、第１位置３Ａに位置するとき、２つの開口部２３１を開放し、第２位置３Ｂに位置するとき、２つの開口部２３１を閉塞するように構成されてもよい。
【００６１】
また、前記では、係止部２３３がＸ方向に延在する支持面２３３Ａを有するものとしたが、本発明はこれに限定されない。例えば、図１６に示すように、係止部２３３は、第１ガイド溝２３４に対して交差する方向に延在する第２ガイド溝２３５の端部として構成されてもよい。
【００６２】
以上のように、本開示における技術の例示として、実施形態を説明した。そのために、添付図面及び詳細な説明を提供した。したがって、添付図面及び詳細な説明に記載された構成要素の中には、課題解決のために必須な構成要素だけでなく、前記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００６３】
また、前述の実施形態は、本開示における技術を例示するためのものであるから、特許請求の範囲又はその均等の範囲において種々の変更、置き換え、付加、省略などを行うことができる。
【産業上の利用可能性】
【００６４】
本開示に係る蓋ガイド機構によれば、蓋体の開放をより容易に行うことができるとともに、開放状態の蓋体が他の動作を阻害することを抑えることができるので、撮像装置のみならず、テレビジョンやパーソナルコンピュータなどの電子機器にも有用である。
【符号の説明】
【００６５】
１      撮像装置
２      本体ケース
３      蓋体
３Ａ    第１位置
３Ｂ    第２位置
３Ｃ    第３位置
４      カバー部材
５      バネ
２１      フロントケース
２１Ａ    湾曲面
２２      リアケース
２２Ａ    湾曲面
２３      フレーム
３１      凸部
３２      凹部
３３      第１軸部
３４      第２軸部
３５      突出部
５１      取付部
５２      他端部
２１１      ストッパー
２３１      開口部
２３２      取付部
２３３      係止部
２３３Ａ    支持面
２３４      第１ガイド溝
２３４Ａ    傾斜面
２３５      第２ガイド溝
【図１】
2019086721.tif 000003
【図２】
2019086721.tif 000004
【図３】
2019086721.tif 000005
【図４】
2019086721.tif 000006
【図５】
2019086721.tif 000007
【図６Ａ】
2019086721.tif 000008
【図６Ｂ】
2019086721.tif 000009
【図６Ｃ】
2019086721.tif 000010
【図７Ａ】
2019086721.tif 000011
【図７Ｂ】
2019086721.tif 000012
【図７Ｃ】
2019086721.tif 000013
【図８Ａ】
2019086721.tif 000014
【図８Ｂ】
2019086721.tif 000015
【図９Ａ】
2019086721.tif 000016
【図９Ｂ】
2019086721.tif 000017
【図９Ｃ】
2019086721.tif 000018
【図１０Ａ】
2019086721.tif 000019
【図１０Ｂ】
2019086721.tif 000020
【図１１Ａ】
2019086721.tif 000021
【図１１Ｂ】
2019086721.tif 000022
【図１２Ａ】
2019086721.tif 000023
【図１２Ｂ】
2019086721.tif 000024
【図１２Ｃ】
2019086721.tif 000025
【図１２Ｄ】
2019086721.tif 000026
【図１３Ａ】
2019086721.tif 000027
【図１３Ｂ】
2019086721.tif 000028
【図１４Ａ】
2019086721.tif 000029
【図１４Ｂ】
2019086721.tif 000030
【図１５Ａ】
2019086721.tif 000031
【図１５Ｂ】
2019086721.tif 000032
【図１５Ｃ】
2019086721.tif 000033
【図１６】
2019086721.tif 000034